(57)【要約】【課題】筒状に保形する際の横断面形状（開口度合）がほぼ一定であると共に抽出時に前記横断面形状（開口度合）が小さくなることがなくて安心して注湯することができるドリッパーを提供することである。【解決手段】両側縁に折曲部を備えると共に前記両側縁に対して中央部となる位置に対向する一対の突出フラップを備えた平面視略矩形状の筒状紙体と濾過機能を有する袋体とからなり、前記筒状紙体に前記袋体を挿入して前記袋体の開口縁の略中央対向部を前記筒状紙体の前記一対の突出フラップに貼着すると共に前記袋体の開口部を内容物収納後に剥離可能に閉じたドリッパーにおいて、前記筒状紙体の両側縁間を略３等分する位置に前記筒状紙体の上端縁および下端縁と交差しない前記両側縁に平行な直線状の長孔部が対向して設けられていることを特徴とするドリッパー。【選択図】        図１
2004160012.tif 000002
【特許請求の範囲】
【請求項１】
両側縁に折曲部を備えると共に前記両側縁に対して中央部となる位置に対向する一対の突出フラップを備えた平面視略矩形状の筒状紙体と濾過機能を有する袋体とからなり、前記筒状紙体に前記袋体を挿入して前記袋体の開口縁の略中央対向部を前記筒状紙体の前記一対の突出フラップに貼着すると共に前記袋体の開口部を内容物収納後に剥離可能に閉じたドリッパーにおいて、前記筒状紙体の両側縁間を略３等分する位置に前記筒状紙体の上端縁および下端縁と交差しない前記両側縁に平行な直線状の長孔部が対向して設けられていることを特徴とするドリッパー。
【請求項２】
前記両側縁の前記折曲部に前記筒状紙体を筒状に保持する折込部が設けられていることを特徴とする請求項１記載のドリッパー。
【請求項３】
前記筒状紙体の下端縁に係合突片が形成されていることを特徴とする請求項１、２のいずれかに記載のドリッパー。
【請求項４】
前記袋体の開口部が超音波溶着により剥離可能に閉じられていることを特徴とする請求項１〜３のいずれかに記載のドリッパー。
【発明の詳細な説明】
【０００１】
【発明の属する技術分野】
本発明は、レギュラーコーヒー粉、紅茶や緑茶の葉等の被抽出成分を有する内容物を漉すときに使用するドリッパーに関し、さらに詳しくは、被抽出成分を有する内容物を一体的に収納した使い捨てタイプのドリッパーに関する。
【０００２】
【従来の技術】
従来から、予めレギュラーコーヒー粉、紅茶や緑茶の葉等の被抽出成分を有する内容物を収納したドリッパーが知られている。これらのドリッパーは大別して２種類のものがある。その一つは、カップ状の容器と該容器の底部等にレギュラーコーヒー粉等の内容物を収納する収納部を備えたもの（たとえば、特許文献１）、また、他の一つは、レギュラーコーヒー粉等の内容物を収納する収納部と、該収納部をカップ壁面等に載置固定する紙製支持部とからなるもの（たとえば、特許文献２参照）である。
【０００３】
特許文献１記載のドリッパーは、特許文献２記載のドリッパーに比べて、嵩張るという難点があるために販売時や保管時等に場所を取るといった問題や、使い捨てであるにもかかわらず製造コストが高く、また廃棄処理がし難いといった問題がある。そのために、折畳むことにより小型化することができ、販売時や保管時等に場所を取ることがなく、また、廃棄処理も容易であるなどの理由から特許文献２記載のような構成からなるドリッパーの市場ニーズが高まっている。
【０００４】
特許文献２記載のドリッパーは、厚紙により形成した折畳まれた状態の枠状の紙製支持部の内側にレギュラーコーヒー粉等の内容物が収納された濾紙袋（収納部）の上縁部近くを接着したものであって、使用時に前記濾紙袋（収納部）に設けられたミシン目で前記濾紙袋（収納部）を開封して後に、折畳まれた状態の枠状の紙製支持部を起立させて筒状に保形するように構成され、この状態で筒状に保形された紙製支持部の下端部をカップ壁面上に載置して前記濾紙袋（収納部）内に注湯するすることにより、所望のコーヒー等の飲料を得るものである。
【０００５】
しかしながら、特許文献２記載のドリッパーは、折畳まれた状態の枠状の紙製支持部を起立させて筒状に保形する手段としては、紙製支持部に設けられた折目（折罫）を折って折りくせを付け、これにより筒状に保形するように構成されているために、紙の腰による反発力が残存して折目（折罫）の入り具合等で筒状に保形する際の横断面形状（開口度合）にバラツキが生じやすく、また、所望のコーヒー等の飲料を得るための抽出時に前記横断面形状（開口度合）が小さくなり、注湯し難くなるといった問題があった。さらに、前記濾紙袋（収納部）の開封手段が前記濾紙袋（収納部）に設けられたミシン目で開封するように構成されているために前記濾紙袋（収納部）のミシン目部に存在するレギュラーコーヒー粉等の内容物が開封時に飛散して周辺を汚すといった問題があった。
【０００６】
【特許文献１】
実開昭６１−１２４２３２号公報
【特許文献２】
実開平４−１３５６８号公報
【０００７】
【発明が解決しようとする課題】
そこで本発明は、上記問題に鑑みてなされたものであって、筒状に保形する際の横断面形状（開口度合）がほぼ一定であると共に抽出時に前記横断面形状（開口度合）が小さくなることがなくて安心して注湯することができ、さらにカップ壁面上に安定した状態で載置固定することができるドリッパーを提供することである。
【０００８】
【課題を解決するための手段】
本発明者は、上記課題を達成するために、請求項１記載の本発明は、両側縁に折曲部を備えると共に前記両側縁に対して中央部となる位置に対向する一対の突出フラップを備えた平面視略矩形状の筒状紙体と濾過機能を有する袋体とからなり、前記筒状紙体に前記袋体を挿入して前記袋体の開口縁の略中央対向部を前記筒状紙体の前記一対の突出フラップに貼着すると共に前記袋体の開口部を内容物収納後に剥離可能に閉じたドリッパーにおいて、前記筒状紙体の両側縁間を略３等分する位置に前記筒状紙体の上端縁および下端縁と交差しない前記両側縁に平行な直線状の長孔部が対向して設けられていることを特徴とするものである。このように構成することにより、前記突出フラップを左右の手指で摘んで互いに乖離する方向に引張って袋体の閉止部を剥離（開封）し、その後に筒状紙体を筒状に保形するために折曲部を備えた両側縁を互いに接近する方向に押圧することにより、前記筒状紙体に設けた長孔部の両延長線上の前記筒状紙体の部位（長孔部の上端と筒状紙体の上端縁間および長孔部の下端と筒状紙体の下端縁間）が折り曲げられて折りくせが付き、この折りくせにより筒状の横断面形状（開口度合）がほぼ一定の大きさに保形されると共に抽出時に前記横断面形状（開口度合）が小さくなることがなくて安心して注湯することができるドリッパーとすることができる。この理由としては、前記長孔部は紙の腰による反発力が断ち切られるために、紙の腰による反発力は折りくせを付けた部位のみとなるために、紙の腰による反発力をより小さなものとすることができるからである。
【０００９】
また、請求項２記載の本発明は、請求項１記載のドリッパーにおいて、前記両側縁の前記折曲部に前記筒状紙体を筒状に保持する折込部が設けられていることを特徴とするものである。このように構成することにより、上記同様に袋体の閉止部を剥離（開封）し、その後に筒状紙体を筒状に保形するために折曲部を備えた両側縁を互いに接近する方向に押圧しながら折込部を内側に折り返すことにより、前記筒状紙体に設けた長孔部の両延長線上の前記筒状紙体の部位（長孔部の上端と筒状紙体の上端縁間および長孔部の下端と筒状紙体の下端縁間）が折り曲げられて付く折りくせと内側に折り返された前記折込部との協働作用で筒状の横断面形状（開口度合）がより確実に一定の大きさに保形されると共に抽出時の前記横断面形状（開口度合）も確実に確保されたドリッパーとすることができる。
【００１０】
また、請求項３記載の本発明は、請求項１、２のいずれかに記載のドリッパーにおいて、前記筒状紙体の下端縁に係合突片が形成されていることを特徴とするものである。このように構成することにより、筒状紙体をカップ壁面に安定して載置固定することができる。
【００１１】
また、請求項４記載の本発明は、請求項１〜３のいずれかに記載のドリッパーにおいて、前記袋体の開口部が超音波溶着により剥離可能に閉じられていることを特徴とするものである。このように構成することにより、筒状紙体側から袋体の開口部を容易に剥離可能に閉じることができる。
【００１２】
【発明の実施の形態】
上記の本発明について、図面等を用いて以下に詳しく説明する。
図１は本発明にかかるドリッパーの第１実施形態を示す要部透視正面図、図２は図１に示すドリッパーに用いる筒状紙体の一実施例を示す展開図、図３は本発明にかかるドリッパーの第２実施形態を示す要部透視正面図、図４は図３に示すドリッパーに用いる筒状紙体の展開図、図５は図３に示すドリッパーの使用方法を説明する図であり、図中の１，１’はドリッパー、２，２０２は筒状紙体、２’，２０２’はブランク板、３は袋体、２０，２０’は突出フラップ、２１，２１’は折込部、２２は係合突片、２３は切欠、２４，２５，２４３、２５３は折罫、２６，２６’は長孔部、３０，３０’は対向貼着部、３１は剥離可能接着部、３２は強固な接着部、３３は折部、２１０は前面板、２２０は背面主板、２２０’は背面補助板、２４１、２５１は切刃、２４２、２５２は切込部、２４４、２５４は円形状切欠部、α，βは折曲部をそれぞれ示す。
【００１３】
図１は本発明にかかるドリッパーの第１実施形態を示す要部透視正面図であって、ドリッパー１は両側縁に折曲部α、βを備えると共に上縁の中央部の対向する位置に突出フラップ２０、２０’（図示せず）を備えた平面視略矩形状の筒状紙体２に、濾過機能を有する略逆台形状の袋体３を挿入して前記袋体３の開口縁の略中央部を一部延設した対向貼着部３０、３０’（図示せず）を前記突出フラップ２０、２０’（図示せず）の上縁で外方へ折返して前記突出フラップ２０、２０’（図示せず）の外面に貼着し、前記袋体３の開口部をレギュラーコーヒー粉等の被抽出成分を有する内容物（図示せず）収納後に剥離可能接着部３１で閉じたものであって、前記筒状紙体２の下縁（図１上の下側）の両側縁と中央とに係合突片２２が４箇所（図１上は３箇所）形成され、この係合突片２２により前記筒状紙体２の前記下縁（図１上の下側）に必然的に切欠２３が４箇所（図１上は２箇所）形成されると共に前記筒状紙体２の両側縁間を略３等分する位置に対向して前記筒状紙体２の上端縁および下端縁と交差しない前記両側縁に平行な直線状の長孔部２６、２６’（図示せず）が設けられている。なお、前記突出フラップ２０、２０’（図示せず）および前記筒状紙体２の下縁（図１上の下側）の中央に設けた係合突片２２は、前記長孔部２６、２６’（図示せず）の上下方向（図１上）の延長線上に位置することがないように、具体的には前記長孔部２６間および前記長孔部２６’（図示せず）間に形成するのがよい。また、前記筒状紙体２の上端縁と前記長孔部２６、２６’（図示せず）の上端の間隔および前記筒状紙体２の下端縁と前記長孔部２６、２６’（図示せず）の下端との間隔は、前記筒状紙体の上下方向（図１上）の座屈強度等のドリッパーとして機能するための強度を考慮すると少なくとも５ｍｍは必要である。また、前記長孔部２６、２６’（図示せず）の上端は、前記袋体３の開口部を閉じる前記剥離可能接着部３１を形成する際の圧抜けによる閉じ不良が生じないように前記剥離可能接着部３１より下方（図１上の下側）に位置するように構成するのが適当である。
【００１４】
また、図１に示すように、前記袋体３は、その両側端縁に容易に剥がれない強固な接着部３２を有すると共に前記袋体３の前記開口部と反対側の下端部（図１上の下側部）は折部３３となっている。なお、前記折部３３については、後ほどもう少し詳しく説明する。
【００１５】
次に、本発明のドリッパーを構成する筒状紙体２と濾過機能を有する袋体３について説明する。最初に筒状紙体２について説明する。図２は図１に示すドリッパーに用いる筒状紙体の一実施例を示す展開図であって、ブランク板２’は背面補助板２２０’、前面板２１０、背面主板２２０が折罫２４、２５を介して順次連接され、前記前面板２１０および前記背面主板２２０の前記折罫２４、２５と直交する一方の端縁（図２上の上端縁）の中央部および略中央部に両角がアール状に形成された略矩形状の突出フラップ２０、２０’が設けられると共に前記前面板２１０および前記背面主板２２０の前記折罫２４、２５と直交する他方の端縁（図２上の下端縁）の前記突出フラップ２０、２０’と略対向する位置と前記ブランク板２’を後述するように折りと貼り加工をして図１に示す筒状紙体２とした状態でその両端縁となる位置とに係合突片２２が設けられ（この係合突片２２により必然的に切欠２３が形成され）、さらに前記ブランク板２’を後述するように折りと貼り加工をして図１に示す筒状紙体２とした状態で両端縁間を略３等分する前記前面板２１０および前記背面主板２２０の位置に前記折罫２４、２５と直交する方向の両端縁（図２上の上端縁と下端縁）と交差しない前記折罫２４、２５に平行な直線状の長孔部２６、２６および２６’、２６’が設けられた構成からなるものである。なお、前記長孔部２６、２６’は、前記筒状紙体２の横方向の長さ（両端縁α、β間長さ）や前記筒状紙体２の全体的な大きさにより適宜な位置に設けらればよいが、好ましくは前記筒状紙体２の両端縁間を略３等分した位置に設けるのが最も安定した形状となり、カップ壁面上に載置した場合においても安定した開口が得られるものである。
【００１６】
上記のように構成された前記ブランク板２’を、まず前記前面板２１０上に前記背面主板２２０を前記折罫２５を山折りして折り重ね、次いで折り重ねた前記背面主板２２０上に前記背面補助板２２０’を前記折罫２４を山折りして折り重ね、前記背面主板２２０と前記背面補助板２２０’との重ね部を接着剤等により接着することにより筒状紙体２を得ることができる。なお、前記筒状紙体２を形成する材料としては、たとえば、２００〜３４０ｇ／ｍ２の耐水カード紙、アイボリー紙などの厚紙が適当である。また、前記ブランク板２’は、周知の打抜機を用いて容易に製造することができる。
【００１７】
次に、本発明に用いる袋体について説明する。袋体３としては、濾過機能を有する素材であれば特に限定するものではないが、袋体３とするときの加工性を考慮すると素材それ自体が熱接着性を有するもの、あるいは、最内層が熱接着性を有するものが好ましく、たとえば、ポリエチレンやポリプロピレン等のポリオレフィン系、ポリエステル系等の透水性を有する不織布、あるいは、最内層にポリエチレンやポリプロピレン等のポリオレフィン系やポリエステル系等の熱可塑性樹脂を含有している層を有する２ないし３層構成からなる濾紙等を挙げることができる。
【００１８】
次に、前記袋体３の製造方法について説明する。前記袋体３は、熱接着性を有する長尺シート、たとえば、最内層に変性ポリプロピレンを含有している３層構成からなる濾紙を、長手方向と平行に２つ折りして折部３３（図１参照）を形成するなり、あるいは、前記折部３３（図１参照）をＷ折り（ガセット折り）するなりして重ね合わせ、所定形状に熱接着（図１上、符号３２で示す接着部）し、その後に裁断、および／ないし、型抜き〔図１上、折部３３が幅狭となると共に前記折部３３の反対側の略中央部に一部延設した一対の対向貼着部３０、３０’（図示せず）を備えた略台形状に型抜き〕することにより製造することができる。
【００１９】
そして、前記筒状紙体２と前記袋体３との組付けは、上記した前記筒状紙体２に前記袋体３を挿入して前記袋体３に設けた前記一対の対向貼着部３０、３０’（図示せず）を前記筒状紙体２に設けた前記一対の突出フラップ２０、２０’（図２参照）の上縁で外方へ折返して前記一対の突出フラップ２０、２０’（図２参照）の外面に貼着することにより完了する。なお、図１においては、前記袋体３の前記一対の対向貼着部３０、３０’（図示せず）を前記一対の突出フラップ２０、２０’（図２参照）の上縁で外方へ折返して前記一対の突出フラップ２０、２０’（図２参照）の外面に貼着したものを示したが、図示はしないが前記袋体３の前記一対の対向貼着部３０、３０’（図示せず）の突出長さを短くして前記一対の突出フラップ２０、２０’（図２参照）の内面に貼着してもよいものである。いずれの場合においても、前記筒状紙体２に前記袋体３を貼着する個所は前記突出フラップ２０、２０’（図２参照）とすることが望ましく、これにより使用時に前記筒状紙体２を筒状に起立させた際に、前記袋体３の両側（図１参照）が持ち上がり、前記袋体３の大きく確実な開口が保証され、注湯やドリップに適したドリッパーとすることができる。
【００２０】
なお、、前記ブランク板２’から前記筒状紙体２とするために、前記背面主板２２０と前記背面補助板２２０’との重ね部を接着する接着剤、あるいは、前記筒状紙体２と前記袋体３とを接着する接着剤は、ホットメルト型、溶剤型、水性型、反応型、感圧型等の接着剤から適宜選択して用いることができる。
【００２１】
このようにして前記筒状紙体２に前記袋体３が組付けられた半完成品のドリッパー１は、その後、前記袋体３内にレギュラーコーヒー粉等の被抽出成分を有する内容物（図示せず）が前記袋体３の開口部から充填され、前記袋体３の前記開口部を後述する剥離可能接着部３１（図１参照）となるように熱接着することにより本発明のドリッパー１となる。
【００２２】
次に、前記袋体３の前記開口部の剥離可能接着部３１の形成方法について説明する。前記剥離可能接着部３１は、超音波溶着装置（図示せず）を用いて形成するのが好ましい。この理由としては、本発明のドリッパー１は、前記筒状紙体２に前記袋体３を組付け、その後に前記袋体３内にレギュラーコーヒー粉等の被抽出成分を有する内容物（図示せず）を前記袋体３の開口部から充填し、最後に前記袋体３の開口部を前記筒状紙体２の外面から前記筒状紙体２を介して剥離可能接着部３１となるように熱接着するものであり、通常用いられる熱板シール方法やインパルスシール方法等では前記筒状紙体２を形成している厚紙を通して前記袋体３の開口部の内面同士を剥離可能に接着することは非常に困難であり、熱接着しようとすると時間を要し、生産効率が落ちると共に前記筒状紙体２の内外面や前記袋体３の表面が焦げて褐変し、見栄えの悪いものとなるからである。
【００２３】
図３は本発明にかかるドリッパーの第２実施形態を示す要部透視正面図であって、ドリッパー１’は図１に示す筒状紙体２の両側縁の折曲部α、βの略中央部に折込部２１、２１’を設けた筒状紙体２０２からなるものであって、これ以外はドリッパー１と同じである。
【００２４】
図４は図３に示すドリッパーに用いる筒状紙体の展開図であって、ブランク板２０２’は図２に示したブランク板２’の前記折罫２４および２５のそれぞれの略中央部に前記折罫２４および２５に対して線対称となるように略コの字形状の切刃２４１、２５１が設けられ、そして前記切刃２４１、２５１に連接して前記一方の端縁（上端縁）側に前記折罫２４および２５に対して線対称となるように略半円状の切込部２４２、２５２が設けられ、さらに前記切刃２４１、２５１のそれぞれの両端部から前記他方の端縁（下端縁）側に延びて前記折罫２４、２５にそれぞれ交わる前記折罫２４、２５に対して線対称な折罫２４３、２４３および２５３、２５３が設けられると共に前記折罫２４と前記折罫２４３、２４３の交点（図示せず）および前記折罫２５と前記折罫２５３、２５３の交点（図示せず）をそれぞれ中心とする円形状の切欠部２４４、２５４が設けられた構成からなり、前記切込部２４２と前記切刃２４１と前記切欠部２４４および前記切込部２４２と前記切欠部２４４の間の前記折罫２４、２４３とにより前記折込部２１（図３参照）が形成されると共に前記切込部２５２と前記切刃２５１と前記切欠部２５４および前記切込部２５２と前記切欠部２５４の間の前記折罫２５、２５３とにより前記折込部２１’（図３参照）が形成されるように構成され、これ以外は図２に示したブランク板２’と同じである。なお、前記ブランク板２０２’は前記ブランク板２’と同様に周知の打抜機で容易に製造することができるし、前記ブランク板２０２’を筒状紙体２０２とする方法は、前記ブランク板２’で説明した同じ方法を採ればよいものである。
【００２５】
また、前記筒状紙体２０２と前記袋体３との組付け方法についても、前記筒状紙体２で説明した組付け方法を用いればよく、さらに前記袋体３にレギュラーコーヒー粉等の被抽出成分を有する内容物を収納し、前記袋体３の前記開口部を剥離可能接着部３１（図３参照）となるように熱接着して本発明のドリッパー１’とする方法についても上記で説明した超音波溶着装置（図示せず）を用いればよいものである。
【００２６】
次に、本発明のドリッパーの使用方法について、図３に示すドリッパー１’を用いて使用方法を示す図５により説明する。まず、図３に示すドリッパー１’の前記袋体３の前記対向貼着部３０、３０’で被覆された前記突出フラップ２０、２０’を左右の手指で摘んで互いに乖離する方向に引張って前記袋体３の前記剥離可能接着部３１を剥離（開封）し、その後に筒状紙体２０２を筒状に保形するために折曲部α、βを備えた両側縁を互いに接近する方向に押圧すれば、前記筒状紙体２０２に設けた前記長孔部２６、２６’の両延長線上の前記筒状紙体２０２の部位（前記長孔部２６、２６’の上端と前記筒状紙体２０２の上端縁間および前記長孔部２６、２６’の下端と筒状紙体２０２の下端縁間）が折り曲げられて折りくせが付き、筒状の横断面形状（開口度合）がほぼ一定の大きさに保形されるために、この状態で前記筒状紙体２０２に設けた前記係合突片２２および前記切欠２３を用いてドリッパー１’を図示はしないがカップ壁面上に載置固定し、開口部から所定量の熱湯を注湯しても前記横断面形状（開口度合）が小さくなることがなくて安心して注湯して所望のコーヒー等の飲料を得ることができるが、より好ましくは、前記袋体３の前記剥離可能接着部３１を剥離（開封）し、その後に筒状紙体２０２を筒状に保形するために折曲部α、βを備えた両側縁を互いに接近する方向に押圧して後に、あるいは、筒状紙体２０２を筒状に保形するために折曲部α、βを備えた両側縁を互いに接近する方向に押圧しながら、前記筒状紙体２０２の両端縁の前記折曲部α、βに設けた前記折込部２１、２１’を前記筒状紙体２０２の内側に折り返すことにより、前記筒状紙体２０２に設けた前記長孔部２６、２６’の両延長線上の前記筒状紙体２０２の部位（前記長孔部２６、２６’の上端と前記筒状紙体２０２の上端縁間および前記長孔部２６、２６’の下端と前記筒状紙体２０２の下端縁間）が折り曲げられて付く折りくせと内側に折り返された前記折込部２１、２１’との協働作用で筒状の横断面形状（開口度合）がより確実に一定の大きさに保形されるために、この状態で前記筒状紙体２０２に設けた前記係合突片２２および前記切欠２３を用いてドリッパー１’をカップ壁面上に載置固定（図５参照）し、開口部から所定量の熱湯を注湯しても前記横断面形状（開口度合）が小さくなることがなくて一層安心して注湯して所望のコーヒー等の飲料を得ることができるものとすることができる。
【００２７】
なお、今まではドリッパー１、１’の下端縁に設けた係合突片２２の数や形状は、例示したものに限るものではなく、カップ壁面に載置固定可能に構成されていればよいものである。また、前記突出フラップ２０、２０’は、必ずしも同一形状である必要はなく、突出幅や突出高さを変えたり、あるいは、同一形状であっても多少設ける位置をずらせることにより、使用時に手指で摘み易いように構成してもよいものである。
【００２８】
【発明の効果】
以上縷々説明したように、本発明のドリッパーは、筒状に保形する際の横断面形状（開口度合）をほぼ一定の大きさに保形することができると共に、レギュラーコーヒー粉等の被抽出成分を有する内容物からコーヒー等の飲料を抽出するために熱湯等を注湯しても前記横断面形状（開口度合）が小さくなることなく、ほぼ一定の大きさを確保することができるために、安心して注湯することができるという優れた効果を奏するものである。さらに、本発明のドリッパーは、カップ壁面上に安定した状態で載置固定することができるという効果を奏するものである。さらに、本発明のドリッパーは、袋体の開封手段として剥離可能接着部を剥離することにより袋体を開封する機構を採っているために、開封時にレギュラーコーヒー粉等の被抽出成分を有する内容物が飛散することがなく、周辺を汚すことがないという効果も奏するものである。
【図面の簡単な説明】
【図１】本発明にかかるドリッパーの第１実施形態を示す要部透視正面図である。
【図２】図１に示すドリッパーに用いる筒状紙体の一実施例を示す展開図である。
【図３】本発明にかかるドリッパーの第２実施形態を示す要部透視正面図である。
【図４】図３に示すドリッパーに用いる筒状紙体の展開図である。
【図５】図３に示すドリッパーの使用方法を説明する図である。
【符号の説明】
１，１’                          ドリッパー
２，２０２                        筒状紙体
２’，２０２’                    ブランク板
３                                袋体
２０，２０’                      突出フラップ
２１，２１’                      折込部
２２                              係合突片
２３                              切欠
２４，２５，２４３、２５３        折罫
２６，２６’                      長孔部
３０，３０’                      対向貼着部
３１                              剥離可能接着部
３２                              強固な接着部
３３                              折部
２１０                            前面板
２２０                            背面主板
２２０’                          背面補助板
２４１、２５１                    切刃
２４２、２５２                    切込部
２４４、２５４                    円形状切欠部
α，β                            折曲部
【図１】
2004160012.tif 000003
【図２】
2004160012.tif 000004
【図３】
2004160012.tif 000005
【図４】
2004160012.tif 000006
【図５】
2004160012.tif 000007